(57)【要約】【課題】電話配線の設けられていない屋外においても設置することができる据置型電話機を提供すること。【解決手段】据置型電話機１０は、携帯電話機２が筐体１内部に収容されたものであって、携帯電話機２には、筐体１に設けられた通話切断スイッチ４を作動させつつ筐体１上に載置することができる送受話器３が接続され、通話切断スイッチ４は該送受話器３を降ろすことにより携帯電話機２の通話切断を作動させるよう携帯電話機２に接続され、また筐体１外部には、入力部７が携帯電話機２と接続して設けられた構成とする。【選択図】  図１
2005072683.tif 000002
【特許請求の範囲】
【請求項１】
携帯電話機が筐体内部に収容された据置型電話機であって、該携帯電話機には、該筐体に設けられた通話切断スイッチを作動させつつ該筐体上に載置することのできる送受話器が接続され、該通話切断スイッチは該送受話器を降ろすことにより該携帯電話機の通話切断を作動させるよう接続され、また該筐体外部には、電話番号を入力することによって該携帯電話機に通話発信をさせるためのテンキー等の入力部が該携帯電話機と接続して設けられ、該携帯電話機用の動作電源供給手段が設けられていることにより、該送受話器またはこれに加えて該入力部を操作することによって、通話できることを特徴とする、据置型電話機。
【請求項２】
前記筐体内部には、前記動作電源供給手段として用いるための動作電源部が収容されていることを特徴とする、請求項１に記載の据置型電話機。
【請求項３】
上記動作電源部は交流電源から直流電圧を得るためのバッテリー充電用電源を有する構成か、または蓄電池を用いるものであることを特徴とする、請求項２に記載の据置型電話機。
【請求項４】
前記携帯電話機には、コンピュータ等の外部機器に本据置型電話機を介して電話回線を接続するための電話回線接続端子部が設けられていることを特徴とする、請求項１ないし３のいずれかに記載の据置型電話機。
【請求項５】
前記電話回線接続端子部は、ＵＳＢ（ユニバーサル・シリアル・バス）端子を有するものであることを特徴とする、請求項４に記載の据置型電話機。
【請求項６】
前記入力部には、任意の電話番号を構成する数字の組を入力することのできるテンキー等の数字入力部と、予め登録された一または複数の通話先電話番号の中から選択した通話先を、一回の操作により入力することのできるワンタッチ入力部とが設けられていることを特徴とする、請求項１ないし５のいずれかに記載の据置型電話機。
【発明の詳細な説明】
【０００１】
【発明の属する技術分野】
本発明は据置型電話機に係り、特に、屋内において電話配線の設けられていない箇所や、公園・催事会場など電話配線の設けられていない屋外においても設置することができ、また小型の通信機器の操作に不慣れな者であっても簡単に操作・使用することのできる、電話配線不要の据置型電話機に関する。
【０００２】
【従来の技術】
携帯電話機は、使用場所を選ばぬ携帯性、送信者・受信者としての通信相手との連絡の容易性ならびに確実性、およびアプリケーションやサポートの発展性により、現代社会・生活における最重要なる機器の一つである。しかし、本来的な属性である携帯性ゆえにその外形や電話機各要素は小型に整えられており、入力部、受話器部などの大型化には限界があり、すなわち、幅広い使用者にとってより操作しやすくするという、操作性の向上にも一定の限界がある。またその携帯性ゆえに、一定の場所に固定して用いる場合は、かえって操作が煩雑となることもあり、さらに所在の変化が生じやすくもなるため、かかる用途においては、従来の据置型電話機に有利な点が認められる。つまり携帯電話機、据置型電話機にはそれぞれ特徴的な性格があり、通常、それぞれの使用に適した時間と場所において、個別単独に使い分けられている。
【０００３】
携帯電話機、据置型電話機それぞれにおける性格、発揮する機能をミックスさせて新たな通信手段の提供を図った提案として、実用新案登録第３０８４１５０号の「呼出し専用電話機」（特許文献１）がある。これは、配電線や専用電話回線を必要とすることなく、随所に設置できる呼出し専用の公衆電話機を実現するために、送受話器の昇降によって昇降信号を発する昇降スイッチと、その昇降信号により動作する携帯電話機とが内蔵された、据置型の呼出し専用公衆電話機を構成したものである。つまり、携帯電話機が有する、構内電話配線の不要性と、据置型電話機が有する操作性、設置安定性とをミックスすることにより、考案の本来的な目的であるところの、設置場所提供インフラへの依存性解消を図ったものといえる。
【０００４】
【特許文献１】
実用新案登録第３０８４１５０号「呼出し専用電話機」。要約。実用新案登録請求の範囲。考案の詳細な説明（段落０００２、０００３）。図面（図１、２）。
【０００５】
【発明が解決しようとする課題】
特許文献１においてなされた提案は、公衆電話たる呼出し専用電話機の設置の自由度を高めるために携帯電話機を利用するというものである。しかし、本願出願人が上述したように携帯電話機と据置型電話機それぞれが有する特徴的性格に鑑みれば、単なる呼び出し専用の公衆電話機という限定された用途を超えて、より広くかつ高度に機能し得る、新規な態様による通信手段の提供と、それによる従来課題の解決が、強く期待される。ここで従来課題とは、上述したように、携帯電話機については操作性の限界と設置安定性の限界、据置型電話機については電話配線敷設条件により規制される設置箇所自由度の限界、である。
【０００６】
本発明の課題は、これら従来技術の状況を踏まえ、かつその欠点を解決して、特に、屋内において電話配線の設けられていない箇所や、公園・催事会場など電話配線の設けられていない屋外においても設置することができ、また小型の通信機器の操作に不慣れな者であっても簡単に操作・使用することができ、電話配線不要な、通常の送信あるいは送受信が可能であるような据置型電話機を提供することを課題とする。
【０００７】
【課題を解決するための手段】
上記課題を解決するために本願発明者が鋭意検討した結果、本発明に至った。すなわち、本願において特許請求される発明は以下のとおりである。
【０００８】
（１）  携帯電話機が筐体内部に収容された据置型電話機であって、該携帯電話機には、該筐体に設けられた通話切断スイッチを作動させつつ該筐体上に載置することのできる送受話器が接続され、該通話切断スイッチは該送受話器を降ろすことにより該携帯電話機の通話切断を作動させるよう接続され、また該筐体外部には、電話番号を入力することによって該携帯電話機に通話発信をさせるためのテンキー等の入力部が該携帯電話機と接続して設けられ、該携帯電話機用の動作電源供給手段が設けられていることにより、該送受話器またはこれに加えて該入力部を操作することによって、通話できることを特徴とする、据置型電話機。
（２）  前記筐体内部には、前記動作電源供給手段として用いるための動作電源部が収容されていることを特徴とする、（１）に記載の据置型電話機。
（３）  上記動作電源部は交流電源から直流電圧を得るためのバッテリー充電用電源を有する構成か、または蓄電池を用いるものであることを特徴とする、（２）に記載の据置型電話機。
（４）  前記携帯電話機には、コンピュータ等の外部機器に本据置型電話機を介して電話回線を接続するための電話回線接続端子部が設けられていることを特徴とする、（１）ないし（３）のいずれかに記載の据置型電話機。
（５）  前記電話回線接続端子部は、ＵＳＢ（ユニバーサル・シリアル・バス）端子を有するものであることを特徴とする、（４）に記載の据置型電話機。
（６）  前記入力部には、任意の電話番号を構成する数字の組を入力することのできるテンキー等の数字入力部と、予め登録された一または複数の通話先電話番号の中から選択した通話先を、一回の操作により入力することのできるワンタッチ入力部とが設けられていることを特徴とする、（１）ないし（５）のいずれかに記載の据置型電話機。
【０００９】
すなわち本発明はこれを、据置型電話機の外殻構造と必要な電気配線を備えることによって操作性および据置設置安定性を高めることのできた携帯電話機機能と評価することもでき、一方視点を変えれば、携帯電話機機能と必要な電気配線を備えることによって電話配線敷設条件に左右されない、設置自由度を高めることのできた据置型電話機外殻構造と評価することもできるものである。
【００１０】
【発明の実施の形態】
以下、本発明を図面を用いて詳細に説明する。
図１は、本発明の据置型電話機の基本構成を示す説明図である。図において本据置型電話機１０は、無線形態による電話機機能を奏する携帯電話機２が本据置型電話機の外殻構造たる筐体１内部に収容されたものであって、該携帯電話機２には、該筐体１に設けられた通話切断スイッチ４を作動させつつ該筐体１上に載置することができ、かつ該携帯電話機２における送受信に係る通話（送話と受話）を該携帯電話機２の代わりに行うことのできる、つまり該携帯電話機２により送信すべき音声を入力し、またこれに受信された音声を出力できる送受話器３が接続され、該通話切断スイッチ４は該送受話器３を降ろすことにより該携帯電話機２の通話切断を作動させるよう該携帯電話機２に接続され、また該筐体１外部すなわち外面部には、電話番号を入力することによって該携帯電話機２に通話発信をさせるためのテンキー等の入力部７が該携帯電話機２と接続して設けられ、また本据置型電話機１０には、該携帯電話機２用の動作電源供給手段が設けられていることにより、該送受話器３を昇降操作すること、または、これに加えて該入力部７を操作することによって、電話機として通話機能を発揮させることができる構成を、基本とする。
【００１１】
【作用】
図において本据置型電話機１０は上述のように構成されるため、該筐体１内部に収容された該携帯電話機２によって無線形態による電話機機能が奏される。すなわち、該送受話器３が該筐体１上に降ろされ載置されることによって該通話切断スイッチ４による通話切断作用が作動し、これと接続した該携帯電話機２が通話切断され、逆に該送受話器３が該筐体１上から上げられることによって該通話切断スイッチ４の通話切断作用の作動が停止して、これと接続した該携帯電話機２が通話可能状態にされる。該携帯電話機２に接続された該送受話器３は、これに送信すべき音声が入力されるとその信号を該携帯電話機２に伝え、伝えられた信号は該携帯電話機２の電話機機能により送話として送信される。一方、該携帯電話機２の電話機機能によりこれに受信された音声信号は該送受話器３に伝えられて受話音声として出力される。つまり、該携帯電話機２における送受信に係る通話（送話と受話）のための音声の入力および出力は、該送受話器３により行われる。
【００１２】
該筐体１外部に設けられたテンキー等の入力部７には、電話番号その他の通話相手先への通話接続のための入力を行うことができ、入力された信号は接続されている該携帯電話機２に伝えられ、該携帯電話機２の電話機機能により入力にかかる通話相手先電話に対する送信がなされる。該携帯電話機２の動作は、該動作電源供給手段による動作電源の供給によりなされる。かかる各作用により、該送受話器３の昇降操作、またはこれに加え該入力部７での入力操作がなされると、本据置型電話機１０は電話機として通話機能を発揮する。すなわち、該携帯電話機２の電話機機能により、所定の中継基地および交換局等を介して通話先と電話回線が接続し、通話送信がなされる。
【００１３】
図において本据置型電話機１０は、前記動作電源供給手段としては動作電源部を用い、該動作電源部は前記筐体１内部に収容された構成とすることができる。特に該動作電源部は、図示するように、交流電源アダプタ８を通して交流電源から直流電圧を得るためのバッテリー充電用電源５を有する構成とすることができる他、蓄電池を用いる構成とすることもできる。交流電圧を変換するための内蔵または取付けするバッテリー充電用電源５を備える構成は、交流電源を得ることのできる設置場所に本据置型電話機１０を設置する場合に便利であり、また蓄電池を備える構成は、屋外など交流電源を得ることのできない設置場所に本据置型電話機１０を設置する場合に便利である。本発明の据置型電話機１０では、該動作電源供給手段として、これらのうちいずれかを備えた構成とすることも、また両方とも備えた構成とすることも可能である。該バッテリー充電用電源５は、該携帯電話機２のバッテリーを充電するための電源として用い、充電がなされている状態では該交流電源アダプタ８を電源から抜いておくことも、また常時接続しておくこともできる。
【００１４】
図において本据置型電話機１０は、前記携帯電話機２に、コンピュータ９０等の外部機器に対して本据置型電話機１０を介して電話回線を接続するための電話回線接続端子部が設けられた構成とすることができ、該電話回線接続端子部は、ＵＳＢ（ユニバーサル・シリアル・バス）端子９を有するものとすることができる。ＵＳＢ端子９を有する電話回線接続端子部は、たとえば、該携帯電話機２に接続し、該筐体１外に出ているかあるいは引き出すことのできる、ＵＳＢ端子９を有するコードの形態で構成することができる。かかる電話回線接続端子部が設けられることにより、コンピュータ９０等の外部機器に対して本据置型電話機１０を介して電話回線が接続され、データ通信が可能となり、たとえばインターネット（Ｗｅｂシステム）との接続によるインターネット上での情報受発信、あるいは特定相手先との専用回線接続によるデータ交信が可能である。ＵＳＢ方式を用いることにより、外部機器との接続は一層利便性が増す。
【００１５】
図において、本据置型電話機１０のより具体的な構成は、たとえば次の例のようにすることができる。つまり、前記通話切断スイッチ４は、リレー回路６を介してテンキー等の入力部７に接続し、該入力部７は前記携帯電話機２に接続される。該通話切断スイッチ４は、本据置型電話機１０使用者が通話を終了して前記送受話器３を所定の位置に降ろすと、スイッチが入った状態（ＯＮの状態）となり、それにより該リレー回路６の作動が開始される。作動開始した該リレー回路６は、該携帯電話機２の通話切断スイッチに該通話切断スイッチ４作動による切断信号を送り、該携帯電話機２における通話状態が切断され、それにより本据置型電話機１０における通話が終了される。
【００１６】
上述の例において、前記リレー回路６には給電が必要となるため、前記携帯電話機２のバッテリー充電用電源５と同様、前記交流電源アダプタ８に接続させる。交流電源アダプタ８としては、たとえば、商用１００Ｖを直流１２Ｖに変換するものを用いることができる。
【００１７】
図２は、本発明の据置型電話機の外観構成例を示す説明図である。図において本据置型電話機２０では、前記入力部（図１の７）を、任意の電話番号を構成する数字の組を入力することのできるテンキー等の数字入力部１７と、予め登録された一または複数の通話先電話番号の中から選択した通話先を、一回の操作により入力することのできるワンタッチ入力部２７とが、併せ設けられた構成とすることができる。かかる構成により、該数字入力部１７を用いて所定の数字の組を順に入力することによって任意の電話番号を入力、送信することができ、一方、該ワンタッチ入力部２７によれば、一回の操作により予め登録された一または複数の通話先電話番号の中から選択した通話先に対して送信することができる。該ワンタッチ入力部２７における電話番号の登録は、予め行っておくことも、後から登録することも、また変更することも可能である。
【００１８】
図において、数字入力部１７はテンキーの形態をとるが、本発明はこれに限定されず、たとえばダイヤル式の形態とすることもできる。また、数字のみではなく「＊」「♯」など所定の記号の入力部を設けるにより、通常の電話機が備えているのと同様の機能を備えることも、もちろんできる。また、通常の据置型電話機と同様に、たとえば送受信にかかる電話番号の表示や時刻表示などを行うための表示部１５を設けることもできる。また、電気節約のため、たとえば２秒以上の長押しなど、一定時間の継続操作によって電源の入りと切り（ＯＮ、ＯＦＦ）を行わせる電源ボタン（３８）を設けたり、発信時に使用するための局線ボタン（３７）を設けたりなど、従来公知の電話機における種々の機能を付加し備えられることも、いうまでもない。
【００１９】
【発明の効果】
本発明の据置型電話機は上述のように構成されているため、屋内において電話配線の設けられていない箇所や、公園・催事会場など電話配線の設けられていない屋外においても設置することができ、また小型の通信機器の操作に不慣れな者であっても簡単に操作・使用することができる。すなわち、電話配線敷設条件に一切左右されずに自由に設置でき、かつ据置型電話機として用いることのできる操作性および設置安定性を有する通話・データ通信等の通信手段を提供することができる。
【００２０】
用途としてはたとえば、屋外屋内を問わず電話配線の設備されていない箇所や電話配線を事後的にも設備することが不可能な場所での、常時設置あるいは臨時設置、一定期間の屋外・屋内でのイベントにおける、臨時公衆電話としての使用、公園への常設、高齢者・身体障害者・病人のための場所を選ばぬ設置などがあり、幅広く本発明を用いることができる。
【図面の簡単な説明】
【図１】本発明の据置型電話機の基本構成を示す説明図である。
【図２】本発明の据置型電話機の外観構成例を示す説明図である。
【符号の説明】
１…筐体
２…携帯電話機
３、１３…送受話器
４…通話切断スイッチ
５…バッテリー充電用電源
６…リレー回路
７…入力部
８…交流電源アダプタ
９…ＵＳＢ端子
１０、２０…据置型電話機
１５…表示部
１７…数字入力部
１８…電源ケーブル
１９…ＵＳＢ接続コネクタ
２７…ワンタッチ入力部
３７…局線ボタン
３８…電源ボタン
９０…外部機器
【図１】
2005072683.tif 000003
【図２】
2005072683.tif 000004